(57)【特許請求の範囲】
【請求項１】
着用時に外側に配置される外側布及び肌側に配置される肌側布の少なくとも一部が互いに重なる重なり部を前面の一部に備え、当該重なり部における前記外側布の側端部と前記肌側布との間に形成される開き部から着用者の男性器を出し入れ可能なボトム衣類であって、
前記外側布における側端部の上端は、ウエスト部と離隔し、当該外側布と同等以上の伸縮性を有する連結部を介して前記ウエスト部に縫着されており、
前記重なり部の少なくとも一部において、前記外側布における上端部の一部又は全部は、前記外側布における側端部の上端から前記前面の中心側方向に前記ウエスト部まで延在し、前記ウエスト部と離隔する離隔端部として形成され、
前記連結部と前記離隔端部と前記ウエスト部とによって囲まれる開口部が形成され、
前記連結部は１本のテープ状部材であり、前記ウエスト部における前中心線と脇線との間と、前記側端部の上端とを当該連結部のみによって連結することにより、前記側端部の上端が連結部を介して前記ウエスト部に縫着されることがなされている、ことを特徴とするボトム衣類。
【請求項２】
前記重なり部において、前記外側布における上端部は、前記離隔端部と、前記ウエスト部に縫着される縫着部とによって形成されている、請求項１に記載のボトム衣類。
【請求項３】
前記外側布における側端部の上端の位置は、上下方向において前記開き部の中心位置よりも前記ウエスト部に近い上側である、請求項１又は２に記載のボトム衣類。
【請求項４】
着用時に外側に配置される外側布及び肌側に配置される肌側布の少なくとも一部が互いに重なる重なり部を前面の一部に備え、当該重なり部における前記外側布の側端部と前記肌側布との間に形成される開き部から着用者の男性器を出し入れ可能なボトム衣類であって、
前記肌側布における側端部の上端は、ウエスト部と離隔し、当該肌側布と同等以上の伸縮性を有する連結部を介して前記ウエスト部に縫着されており、
前記重なり部の少なくとも一部において、前記肌側布における上端部の一部又は全部は、前記肌側布における側端部の上端から前記前面の中心側方向に前記ウエスト部まで延在し、前記ウエスト部と離隔する離隔端部として形成され、
前記連結部と前記離隔端部と前記ウエスト部とによって囲まれる開口部が形成され、
前記連結部は１本のテープ状部材であり、前記ウエスト部における前中心線と脇線との間と、前記側端部の上端とを当該連結部のみによって連結することにより、前記側端部の上端が連結部を介して前記ウエスト部に縫着されることがなされている、ことを特徴とするボトム衣類。
【請求項５】
前記重なり部において、前記肌側布における上端部は、前記離隔端部と、前記ウエスト部に縫着される縫着部とによって形成されている、請求項４に記載のボトム衣類。
【請求項６】
前記肌側布における側端部の上端の位置は、上下方向において前記開き部の中心位置よりも前記ウエスト部に近い上側である、請求項４又は５に記載のボトム衣類。
【請求項７】
着用時に外側に配置される外側布及び肌側に配置される肌側布の少なくとも一部が互いに重なる重なり部を前面の一部に備え、当該重なり部における前記外側布の側端部と前記肌側布との間に形成される開き部から着用者の男性器を出し入れ可能なボトム衣類であって、
前記外側布における側端部の上端は、ウエスト部と離隔し、当該外側布と同等以上の伸縮性を有する第１連結部を介して前記ウエスト部に縫着されており、
前記外側布における上端部の一部は、前記重なり部の少なくとも一部において、前記外側布における側端部の上端から前記前面の中心側方向に前記ウエスト部まで延在し、前記ウエスト部と離隔する第１離隔端部として形成され、
前記連結部と前記第１離隔端部と前記ウエスト部とによって囲まれる開口部が形成され、
前記第１連結部は１本のテープ状部材であり、前記ウエスト部における前中心線と脇線との間と、前記外側布における前記側端部の上端とを当該第１連結部のみによって連結することにより、前記外側布における前記側端部の上端が第１連結部を介して前記ウエスト部に縫着されることがなされ、
前記肌側布における側端部の上端は、ウエスト部と離隔し、当該肌側布と同等以上の伸縮性を有する第２連結部を介して前記ウエスト部に縫着されており、
前記肌側布における上端部の一部は、前記重なり部の少なくとも一部において、前記肌側布における側端部の上端から前記前面の中心側方向に前記ウエスト部まで延在し、前記ウエスト部と離隔する第２離隔端部として形成され、
前記連結部と前記第２離隔端部と前記ウエスト部とによって囲まれる開口部が形成され、
前記第２連結部は１本のテープ状部材であり、前記ウエスト部における前中心線と脇線との間と、前記肌側布における前記側端部の上端とを当該第２連結部のみによって連結することにより、前記肌側布における前記側端部の上端が第２連結部を介して前記ウエスト部に縫着されることがなされている、ことを特徴とするボトム衣類。
【請求項８】
前記重なり部において、前記外側布における上端部は、前記第１離隔端部と、前記ウエスト部に縫着される第１縫着部とによって形成されている、請求項７に記載のボトム衣類。
【請求項９】
前記重なり部において、前記肌側布における上端部は、前記第２離隔端部と、前記ウエスト部に縫着される第２縫着部とによって形成されている、請求項７又は８に記載のボトム衣類。
【請求項１０】
前記第１連結部と前記ウエスト部と前記第１離隔端部とによって形成される開口部の形状と、前記第２連結部と前記ウエスト部と前記第２離隔端部とによって形成される開口部の形状とは、前記前面の中心線に対して左右対称である、
請求項７〜９の何れか１項に記載のボトム衣類。
【請求項１１】
前記外側布における側端部の上端の位置は、上下方向において前記開き部の中心位置よりも前記ウエスト部に近い上側である、請求項７〜１０の何れか１項に記載のボトム衣類。
【請求項１２】
前記肌側布における側端部の上端の位置は、上下方向において前記開き部の中心位置よりも前記ウエスト部に近い上側である、請求項７〜１１の何れか１項に記載のボトム衣類。
【発明の詳細な説明】
【技術分野】
【０００１】
本発明は、ボトム衣類に関するものである。
【背景技術】
【０００２】
着用者が、脱がずに小用を足すことができるように、フロント部において２枚の布を重ね合わせた重なり部を備え、当該重なり部における側端の開き部から着用者の男性器を出し入れ可能なボトム衣類がある。このようなボトム衣類として、例えば、特許文献１に開示されるようなブリーフや、特許文献２に開示されるようなパンツがある。
【先行技術文献】
【特許文献】
【０００３】
【特許文献１】実開平７−３３９０７号公報
【特許文献２】実開平７−１５０１１号公報
【発明の概要】
【発明が解決しようとする課題】
【０００４】
しかしながら、上記従来のボトム衣類においては、外側に配置される外側布と、これに重なり合う肌側布との両方を引っ張って開き部を開口させ、男性器を取り出す必要があるので手間な場合がある。また、開き部において十分な開きが確保されない場合には、開き部から男性器を出し難いだけでなく、小用時には男性器を圧迫し排尿を止めてしまう場合がある。このため、開き部があるにもかかわらずウエスト部を下げて男性器の出し入れをしたり、ボトム衣類の裾部から男性器を出し入れしたりすることが行われている。
【０００５】
本願発明は、このような問題を解決するためになされたものであり、開き部を使用した男性器の出し入れを容易にすると共に、小用時における男性器に対する圧迫を低減することが可能なボトム衣類を提供する。
【課題を解決するための手段】
【０００６】
本発明のボトム衣類は、着用時に外側に配置される外側布及び肌側に配置される肌側布の少なくとも一部が互いに重なる重なり部を前面の一部に備え、当該重なり部における外側布の側端部と肌側布との間に形成される開き部から着用者の男性器を出し入れ可能なボトム衣類であって、外側布における側端部の上端は、ウエスト部と離隔し、当該外側布と同等以上の伸縮性を有する連結部を介してウエスト部に縫着されており、重なり部の少なくとも一部において、外側布における上端部の一部又は全部は、外側布における側端部の上端から前面の中心側方向にウエスト部まで延在し、ウエスト部と離隔する離隔端部として形成されていることを特徴としている。
【０００７】
このボトム衣類によれば、重なり部における少なくとも一部において、外側布における上端部の一部又は全部がウエスト部と離隔され、外側布における側端部の上端は、連結部を介してウエスト部に縫着されている。このため、外側布には、着用者が開き部を開ける際に引っ張る部分とウエスト部との間に、連結部とウエスト部と離隔端部とによって囲まれる開口部が形成される。開口部が形成された外側布は、この部分に開口部が形成されない布に比べて、外側布における側端部を持って着用者の胴体横もしくは、斜め前方向へ引っ張ったときの抵抗が小さくなる。これにより、外側布の側端部を着用者の胴体横もしくは、斜め前方向に引っ張ることが容易となり、男性器の通路となる開き部を大きく形成することができる。この結果、大きく開いた開き部から男性器の出し入れが容易になると共に、小用時における男性器に対する圧迫を低減することが可能となる。
【０００８】
本発明のボトム衣類では、重なり部において、外側布における上端部は、離隔端部と、ウエスト部に縫着される縫着部とによって形成することができる。すなわち、重なり部の一部において、外側布における上端部の一部がウエスト部と離隔されている構成とすることができる。
【０００９】
本発明のボトム衣類では、外側布における側端部の上端の位置は、上下方向において開き部の中心位置よりもウエスト部に近い上側とすることができる。このボトム衣類によれば、着用者が開き部を開ける際に開き部を大きく形成するのに好ましい、開き部の上下方向の中心位置付近を引っ張ることができる。
【００１０】
本発明のボトム衣類は、着用時に外側に配置される外側布及び肌側に配置される肌側布の少なくとも一部が互いに重なる重なり部を前面の一部に備え、当該重なり部における外側布の側端部と肌側布との間に形成される開き部から着用者の男性器を出し入れ可能なボトム衣類であって、肌側布における側端部の上端は、ウエスト部と離隔し、当該肌側布と同等以上の伸縮性を有する連結部を介してウエスト部に縫着されており、重なり部の少なくとも一部において、肌側布における上端部の一部又は全部は、肌側布における側端部の上端から前面の中心側方向にウエスト部まで延在し、ウエスト部と離隔する離隔端部として形成されていることを特徴としている。
【００１１】
このボトム衣類によれば、重なり部における少なくとも一部において、肌側布における上端部の一部又は全部がウエスト部と離隔され、肌側布における側端部の上端は、連結部を介してウエスト部に縫着されている。このため、肌側布には、着用者が開き部を開ける際に引っ張る部分とウエスト部との間に、連結部とウエスト部と離隔端部とによって囲まれる開口部が形成される。開口部が形成された肌側布は、この部分に開口部が形成されない布に比べて、開き部から手を入れ、肌側布における側端部を持って着用者の胴体横もしくは、斜め前方向へ引っ張ったときの抵抗が小さくなる。これにより、肌側布の側端部を着用者の胴体横もしくは、斜め前方向に引っ張ることが容易となり、男性器の通路となる開き部を大きく形成することができる。この結果、大きく開いた開き部から男性器の出し入れが容易になると共に、小用時における男性器に対する圧迫を低減することが可能となる。
【００１２】
本発明のボトム衣類では、重なり部において、肌側布における上端部は、離隔端部と、ウエスト部に縫着される縫着部とによって形成することができる。すなわち、重なり部の一部において、肌側布における上端部の一部がウエスト部と離隔されている構成とすることができる。
【００１３】
本発明のボトム衣類では、肌側布における側端部の上端の位置は、上下方向において開き部の中心位置よりもウエスト部に近い上側とすることができる。このボトム衣類によれば、着用者が肌側布における側端部を引っ張るのに好ましい、開き部の上下方向の中心位置付近を引っ張ることができる。
【００１４】
本発明のボトム衣類は、着用時に外側に配置される外側布及び肌側に配置される肌側布の少なくとも一部が互いに重なる重なり部を前面の一部に備え、当該重なり部における外側布の側端部と肌側布との間に形成される開き部から着用者の男性器を出し入れ可能なボトム衣類であって、外側布における側端部の上端は、ウエスト部と離隔し、当該外側布と同等以上の伸縮性を有する第１連結部を介してウエスト部に縫着されており、外側布における上端部の一部は、重なり部の少なくとも一部において、外側布における側端部の上端から前面の中心側方向にウエスト部まで延在し、ウエスト部と離隔する第１離隔端部として形成されており、肌側布における側端部の上端は、ウエスト部と離隔し、当該肌側布と同等以上の伸縮性を有する第２連結部を介してウエスト部に縫着されており、肌側布における上端部の一部は、重なり部の少なくとも一部において、肌側布における側端部の上端から前面の中心側方向にウエスト部まで延在し、ウエスト部と離隔する第２離隔端部として形成されていることを特徴としている。
【００１５】
このボトム衣類によれば、重なり部における少なくとも一部において、外側布における上端部の一部又は全部がウエスト部と離隔され、外側布における側端部の上端は、連結部を介してウエスト部に縫着されている。このため、外側布には、着用者が開き部を開ける際に引っ張る部分とウエスト部との間に、第１連結部とウエスト部と第１離隔端部とによって囲まれる開口部が形成される。開口部が形成された外側布は、この部分に開口部が形成されない布に比べて、外側布における側端部を持って着用者の胴体横もしくは、斜め前方向へ引っ張ったときの抵抗が小さくなる。これにより、外側布の側端部を着用者の胴体横もしくは、斜め前方向に引っ張ることが容易となり、男性器の通路となる開き部を大きく形成することができる。
【００１６】
さらに、このボトム衣類においては、外側布と同様に、肌側布には、着用者が開き部を開ける際に引っ張る部分とウエスト部との間に、第２連結部とウエスト部と第２離隔端部とによって囲まれる開口部が形成される。開口部が形成された肌側布は、この部分に開口部が形成されない布に比べて、開き部から手を入れ、肌側布における側端部を持って着用者の胴体横もしくは、斜め前方向への引っ張ったときの抵抗が小さくなる。これにより、肌側布の側端部を着用者の胴体横もしくは、斜め前方向に引っ張ることが容易となり、男性器の通路を大きく形成することができる。この結果、大きく開いた開き部から男性器の出し入れがより容易になると共に、小用時における男性器に対する圧迫をより低減することが可能となる。
【００１７】
本発明のボトム衣類では、重なり部において、外側布における上端部は、第１離隔端部と、ウエスト部に縫着される第１縫着部とによって形成することができる。すなわち、重なり部の一部において、外側布における上端部の一部がウエスト部と離隔されている構成とすることができる。
【００１８】
本発明のボトム衣類では、重なり部において、肌側布における上端部は、第２離隔端部と、ウエスト部に縫着される第２縫着部とによって形成することができる。すなわち、重なり部の一部において、肌側布における上端部の一部がウエスト部と離隔されている構成とすることができる。
【００１９】
本発明のボトム衣類では、第１連結部とウエスト部と第１離隔端部とによって形成される開口部の形状と、第２連結部とウエスト部と第２離隔端部とによって形成される開口部の形状とは、前面の中心線に対して左右対称とすることができる。
【００２０】
このボトム衣類によれば、外側布に形成される開口部の形状と、肌側布に形成される開口部の形状とが左右対称に形成されているので、外側布と肌側布とは均等に伸びる。これにより、着用時には、偏った圧迫のない自然な状態で男性器を保持することが可能となる。
【００２１】
本発明のボトム衣類は、外側布における側端部の上端の位置は、上下方向において開き部の中心位置よりもウエスト部に近い上側とすることができる。このボトム衣類によれば、着用者が開き部を開ける際に開き部を大きく形成するのに好ましい、開き部の上下方向の中心位置付近を引っ張ることができる。
【００２２】
このボトム衣類によれば、肌側布における側端部の上端の位置は、上下方向において開き部の中心位置よりもウエスト部に近い上側とすることができる。このボトム衣類によれば、着用者が肌側布における側端部を引っ張るのに好ましい、当該側端部の上下方向の中心位置付近を引っ張ることができる。
【発明の効果】
【００２３】
このボトム衣類によれば、開き部を使用した男性器の出し入れを容易にすると共に、小用時における男性器に対する圧迫を低減することが可能となる。
【図面の簡単な説明】
【００２４】
【図１】本発明の一実施形態に係る男性用パンツを前面側から示す正面図である。
【図２】図１の男性用パンツを背面側から示す背面図である。
【図３】図１の男性用パンツの着用者が開き部を開けた際の上方向から見た前面の一部を拡大した一部拡大図である。
【図４】本発明の他の一実施形態に係る男性用パンツを前面側から示す正面図である。
【図５】本発明の更なる他の一実施形態に係る男性用パンツを前面側から示す正面図である。
【発明を実施するための形態】
【００２５】
以下、図面を参照して本発明の好適な実施形態について詳細に説明する。なお、各図面において同一又は相当の部分に対しては同一の符号を付すこととする。
【００２６】
図１は本発明の一実施形態に係る男性用パンツを前面側から示す正面図、図２は図１の男性用パンツを背面側から示す背面図、図３は図１の男性用パンツの着用者が開き部を開けた際の上方向から見た前面の一部を拡大した図である。なお、本実施形態において説明のために使用する「前面」とは、着用状態において着用者の胴体の前中心線Ｌ１を中心とする左脇線Ｌ２から右脇線Ｌ３までの範囲をいい、「背面」とは、着用状態において着用者の胴体の後中心線Ｌ４を中心とする左脇線Ｌ２から右脇線Ｌ３までの範囲をいう。また、本実施形態における「左右方向」は、特に断りのない場合、図１の前面側からみた左右方向として説明する。なお、説明中「上」、「下」等の方向を示す語は、図面に示された状態に基づいた便宜的な語である。
【００２７】
図１〜図３に示すパンツ（ボトム衣類）１は、陰茎（男性器）を出し入れ可能な開き部５１が前面に設けられたボクサータイプ（フィットタイプ）の男性用パンツであり、ウエスト部１０と、第１本体布（外側布）２０と、第２本体布（肌側布）３０と、クロッチ布４０とを備えている。
【００２８】
ウエスト部１０は、着用状態において着用者のウエストラインに位置する帯状の部材であり、第１本体布２０及び第２本体布３０の縫着部２１ａ，３１ａに沿って延びている。ウエスト部１０は、第１本体布２０及び第２本体布３０の縫着部２１ａ，３１ａに縫着されている。ウエスト部１０に用いる部材としては、ゴム等を含む伸縮性のあるテープ等を例示することができる。
【００２９】
第１本体布２０及び第２本体布３０は、着用状態において着用者の腹部、臀部及び大腿部を覆う部分である。第１本体布２０と第２本体布３０とは、前面の一部において互いに重なる重なり部５０を有している。第１本体布２０及び第２本体布３０に用いる素材としては、伸縮性を有するベア天竺、ツーウェイトリコット、ツーウェイラッセル等を使用することが好ましい。
【００３０】
第１本体布２０は、図１に示すように、重なり部５０において第２本体布３０の外側に配置されている。第１本体布２０は、第１本体布２０の上端である第１上端部２１と、第１本体布２０の前面における側端である第１前側端部（外側布における側端部）２２と、第１本体布２０の背面における側端である第１後側端部２３（図２参照）と、第１本体布２０の下端である第１下端部２４とを有している。
【００３１】
第１上端部２１は、ウエスト部１０に縫着される第１縫着部２１ａと、ウエスト部１０と縫着されないでウエスト部１０と離隔して延在する第１離隔端部（外側布における離隔端部）２１ｂとを有している。第１縫着部２１ａは、前中心線Ｌ１から右脇線Ｌ３を経て、図２に示すように後中心線Ｌ４まで延在する。図１に戻り、第１離隔端部２１ｂは、後述する第１本体布２０における第１前側端部２２の上端２２ａから右斜め上方向に向かってウエスト部１０における前中心線Ｌ１まで延在する。第１離隔端部２１ｂは、伸縮性のあるテープ状部材２５が縫着、接着等されている。第１離隔端部２１ｂに設けられる素材としては、第１離隔端部２１ｂの長さ方向において第１本体布２０と同程度以上の伸縮性を有するテープ状部材を用いることが好ましい。
【００３２】
第１前側端部２２における上端２２ａは、ウエスト部１０と離隔しており、後述する第１連結部２７を介してウエスト部１０に縫着されている。第１前側端部２２における下端２２ｂは、第２本体布３０及びクロッチ布４０に縫着されている。第１前側端部２２には、伸縮性のあるテープ状部材２６が縫着、接着等されている。第１前側端部２２に設けられる素材としては、第１前側端部２２の長さ方向において第１本体布２０と同程度以上の伸縮性を有するテープ状部材を用いることが好ましい。
【００３３】
第１後側端部２３は、図２に示すように、背面における後中心線Ｌ４に沿って後述する第２後側端部３３と縫着されている。
【００３４】
図１に戻り、第１下端部２４は、着用状態において着用者の股部分を覆うクロッチ布４０に縫着される（一部は第２本体布３０にも縫着される）股部２４ａと、下端を折り返して縫着される裾部２４ｂとを有している。
【００３５】
第１連結部２７は、第１前側端部２２の上端２２ａとウエスト部１０とを繋ぐ部材であって、第１前側端部２２に設けられているテープ状部材２６をそのまま延長することによって形成されている。第１連結部２７は、第１前側端部２２の長さ方向において第１本体布２０と同等以上の伸縮性を有していることが好ましい。第１連結部２７は、上述したように第１前側端部２２に設けられるテープ状部材２６と一体的に形成されていてもよいし、第１前側端部２２の上端２２ａとウエスト部１０とを繋ぐ別部材として形成されてもよい。この場合、第１連結部２７は、上下方向に延びるテープ状部材として形成されることが好ましい。
【００３６】
以上に述べた構成のパンツ１において、重なり部５０における第１前側端部２２と第２本体布３０との間に、着用者の陰茎を出し入れ可能な開き部が形成される。
【００３７】
本実施形態のパンツ１は、図１に示すように、第１前側端部２２の上端２２ａがウエスト部と離隔し、第１連結部２７を介してウエスト部１０に縫着されている点と、重なり部５０の一部において、第１上端部２１の一部である第１離隔端部２１ｂが、第１前側端部２２の上端２２ａから前中心線Ｌ１側方向にウエスト部１０まで延在し、ウエスト部１０と縫着されないで離隔している点とに特徴を有する。以下、本実施形態のパンツ１が、上記特徴を有することによる作用効果について詳細に説明する。
【００３８】
上記特徴を有することにより、重なり部５０において第１本体布２０には、着用者が開き部５１を開ける際に引っ張る部分（第１前側端部２２の一部２２ｃ）とウエスト部１０との間に、第１連結部２７とウエスト部１０と第１離隔端部２１ｂとによって囲まれる開口部６０が形成される。第１本体布２０には、このような開口部６０が形成されるので、第１本体布２０は、開口部６０が形成されていない場合と比べると引っ張りに対する抵抗が小さくなる。これにより、着用者が開き部５１を利用して陰茎を出し入れする際に、第１本体布２０を、例えば図３の矢印方向に示される胴体斜め前方向に引っ張ることが容易となり、開き部５１における開きを大きく確保することができる。この結果、開き部５１から陰茎を出し入れすることが容易となる。
【００３９】
また、開き部５１における開きを大きく確保することができるので、小用時に、開き部５１を形成する第１前側端部２２によって陰茎の下部にある尿道が圧迫されることが低減される。この結果、着用者は、快適に排尿をすることができる。
【００４０】
また、第１前側端部２２の上端２２ａの位置は、図１に示すように、上下方向における開き部５１の中心位置よりもウエスト部１０に近い上側にあることが好ましい。また、第１前側端部２２における上端２２ａのウエスト部１０からの距離が、開き部５１の上下方向における長さの３分の１ぐらいであることがさらに好ましい。なぜなら、着用者が開き部５１を開口する際に指で掴む第１前側端部２２の位置は、一般的に、上下方向における開き部５１の中心位置近傍であることが多い。第１前側端部２２の上端２２ａの位置を、上下方向における開き部５１の中心位置よりも上側に設けることによって、着用者が指で掴む開き部５１の位置２２ｃとウエスト部１０との間に確実に開口部６０が形成される。また、開き部５１を大きく形成するのに好ましい、第１前側端部２２の上下方向における中心位置付近を引っ張ることができる。
【００４１】
第２本体布３０は、図１に示すように、重なり部５０において第１本体布２０の肌側に配置されている。第２本体布３０は、第２本体布３０の上端である第２上端部３１と、第２本体布３０の前面における側端である第２前側端部（肌側布における側端部）３２と、第２本体布３０の背面における側端である第２後側端部３３（図２参照）と、第２本体布３０の下端である第２下端部３４とを有している。
【００４２】
第２上端部３１は、ウエスト部１０に縫着される第２縫着部３１ａと、ウエスト部１０と縫着されないでウエスト部１０と離隔して延在する第２離隔端部（肌側布における離隔端部）３１ｂとを有している。第２縫着部３１ａは、前中心線Ｌ１から左脇線Ｌ２を経て、図２に示すように後中心線Ｌ４まで延在する。図１に戻り、第２離隔端部３１ｂは、後述する第２本体布３０における第２前側端部３２の上端３２ａから左斜め上方向に向かってウエスト部１０における前中心線Ｌ１まで延在する。第２離隔端部３１ｂには、伸縮性のあるテープ状部材３５が縫着、接着等されている。第２離隔端部３１ｂに設けられる素材としては、第２離隔端部３１ｂの長さ方向において第２本体布３０と同程度以上の伸縮性を有するテープ状部材を用いることが好ましい。
【００４３】
第２前側端部３２における上端３２ａは、ウエスト部１０と離隔しており、後述する第２連結部３７を介してウエスト部１０に縫着されている。第２前側端部３２における下端３２ｂは、第１本体布２０及びクロッチ布４０に縫着されている。第２前側端部３２には、伸縮性のあるテープ状部材３６が縫着、接着等されている。第２前側端部３２に設けられる素材としては、第２前側端部３２の長さ方向において第２本体布３０と同程度以上の伸縮性を有するテープ状部材を用いることが好ましい。
【００４４】
第２後側端部３３は、図２に示すように、背面における後中心線Ｌ４に沿って前述した第１後側端部２３と縫着されている。
【００４５】
図１に戻り、第２下端部３４は、着用状態において着用者の股部分を覆うクロッチ布４０に縫着される（一部は第１本体布２０にも縫着される）股部３４ａと、下端を折り返して縫着される裾部３４ｂとを有している。
【００４６】
第２連結部３７は、第２前側端部３２の上端３２ａとウエスト部１０とを繋ぐ部材であって、第２前側端部３２に設けられているテープ状部材３６をそのまま延長することによって形成されている。第２連結部３７は、第２前側端部３２の長さ方向において第２本体布３０と同等以上の伸縮性を有していることが好ましい。第２連結部３７は、上述したように第２前側端部３２に設けられるテープ状部材３６と一体的に形成されていてもよいし、第２前側端部３２の上端３２ａとウエスト部１０とを繋ぐ別部材として形成されてもよい。この場合、第２連結部３７は、上下方向に延びるテープ状部材として形成されることが好ましい。
【００４７】
本実施形態のパンツ１は、第２前側端部３２の上端３２ａがウエスト部１０と離隔しており、第２連結部３７を介してウエスト部１０に縫着されている点と、重なり部５０の一部において、第２上端部３１の一部である第２離隔端部３１ｂが、第２前側端部３２の上端３２ａから前中心線Ｌ１側方向にウエスト部１０まで延在し、ウエスト部１０と縫着されないで離隔している点とに更に特徴を有する。以下、本実施形態のパンツ１が、上記特徴を有することによる作用効果について詳細に説明する。
【００４８】
上記特徴を有することにより、重なり部５０において第２本体布３０には、着用者が開き部５１を利用して陰茎を出し入れする際に、開き部５１から手を入れて引っ張る部分（第２前側端部３２の一部３２ｃ）とウエスト部１０との間に、第２連結部３７とウエスト部１０と第２離隔端部３１ｂとによって囲まれる開口部８０が形成される。第２本体布３０には、このような開口部８０が形成されるので、第２本体布３０は、開口部８０が形成されていない場合と比べると引っ張りに対する抵抗が小さくなる。これにより、開き部５１を利用して陰茎を出し入れする際に、図３に示すように、左手で第１前側端部２２の一部２２ｃを引っ張り、大きく形成された第１前側端部２２と第２本体布３０との間に右手を入れて第２前側端部３２の一部３２ｃ（図１参照）を掴み、陰茎の取り出しに支障とならない例えば図３における右方向に、第２前側端部３２を動かすことが容易となる。
【００４９】
また、第２前側端部３２の上端３２ａの位置は、図１に示すように、上下方向における開き部５１の中心位置よりもウエスト部１０に近い上側にあることが好ましい。また、第２前側端部３２の上端３２ａのウエスト部１０からの距離が、開き部５１の上下方向における長さの３分の１ぐらいであることがさらに好ましい。なぜなら、着用者が開き部５１を開口する際に、開き部５１から手を入れて指で掴む第２前側端部３２の位置は、一般的に、上下方向における開き部５１の中心位置近傍であることが多い。第２前側端部３２の上端３２ａの位置を、上下方向における開き部５１の中心位置よりも上側に設けることによって、着用者が指で掴む第２前側端部３２の位置３２ｃとウエスト部１０との間に確実に開口部８０が形成される。また、第２前側端部３２を引っ張るのに好ましい、第２前側端部３２の上下方向における中心位置付近を引っ張ることができる。
【００５０】
次に、上記のように構成された男性用パンツ１の着用者が、開き部５１を使って陰茎を出し入れする際の作用効果について、図３を用いて説明する。
【００５１】
着用者が、陰茎を出し入れする際には、図３に示すように、まず、開き部５１の上下方向における中央部付近（第１前側端部２２の一部２２ｃ）を左手の指で掴んで、第１本体布２０を胴体斜め前方向（図３に示す矢印方向）に引っ張る。本実施形態のパンツ１においては、第１本体布２０において、着用者が左手の指で掴む第１前側端部の中央部付近（第１前側端部２２の一部２２ｃ）とウエスト部１０との間に上述したような開口部６０が形成されているので、開口部６０のない布に比べて引っ張りに対する抵抗が小さい。これにより、第１前側端部２２を引っ張って開き部５１を大きく開くことができる。また、第１前側端部２２と第２本体布３０との間に右手を入れやすくなり、第２前側端部３２（図１参照）を掴みやすくなる。
【００５２】
次に、着用者は、大きく開かれた開き部５１から右手を入れ、図１に示す第２前側端部（第２前側端部３２の一部３２ｃ）を右手の指で掴んで、第２前側端部３２を開き部５１から陰茎が出し入れするのに支障のない方向（例えば、図３に示す右方向や右下方向）に引っ張る。本実施形態のパンツ１では、第２本体布３０において、着用者が右手の指で掴む第２前側端部３２の一部分３２ｃとウエスト部１０との間に、上述したような開口部８０が形成されているので、開口部８０のない布に比べて引っ張りに対する抵抗が小さい。これにより、第２前側端部３２を陰茎の出し入れに支障がない位置にまで容易に大きく動かすことができる。
【００５３】
このように、本実施形態のパンツ１では、開き部５１を大きく開けることが可能になると共に、第２前側端部３２を陰茎の出し入れに支障がない位置にまで容易に大きく動かすことが可能となる。このため、第１本体布２０と第２本体布３０との間に、陰茎を出し入れするための通路となる空間が大きく確保される。この結果、着用者は、陰茎を出し入れすることが容易になると共に、小用時に、第１前側端部２２によって陰茎の下部の尿道が圧迫されるようなことが低減され、快適に排尿をすることができる。
【００５４】
また、上記実施形態のパンツ１では、図１に示すように、第１本体布２０及び第２本体布３０に開口部６０，８０がそれぞれ形成されるので、第１本体布２０及び第２本体布３０が着用状態において下方向に伸びやすくなっている。このため、男性器の一部である陰嚢を直接保持する第２本体布３０及び外側から支持する第１本体布２０は、陰嚢を圧迫のない状態で保持することが可能となる。
【００５５】
さらに、上記実施形態のパンツ１では、図１に示すように、開口部６０と開口部８０とが、前中心線Ｌ１を軸として左右対称な形状に形成されている。これにより、第１本体布２０及び第２本体布３０は、同等の伸縮性を有することとなり、下及び横方向に向けて均等に伸びるようになる。この結果、第１本体布２０及び第２本体布３０は、陰嚢を圧迫のない自然な状態で保持することが可能となる。
【００５６】
また、上記実施形態のパンツ１では、上述したような開口部６０が形成されているので、着用者が第１前側端部（第１前側端部２２の一部２２ｃ）を指で掴んで引っ張ったとしても、これに連動してウエスト部１０が引っ張られる量は少なくなる。これにより、着用者が、排尿時に開き部５１を使用して陰茎を取り出したとしても、ウエスト部１０がずり下がりにくくなり、シャツ等が着崩れにくくなる。このことは、着用者が第２前側端部３２の一部分３２ｃを指で掴んで引っ張ったときも同様である。
【００５７】
以上、本発明の一実施形態について説明したが、本発明は上記実施形態に限られるものではなく、発明の趣旨を逸脱しない範囲で種々の変更が可能である。
【００５８】
上記実施形態のパンツ１においては、第１本体布２０及び第２本体布３０の両方にそれぞれ第１離隔端部２１ｂ及び第１連結部２７、第２離隔端部３１ｂ及び第２連結部３７が形成されている例を挙げて説明したがこれに限定されるものではなく、第１本体布２０及び第２本体布３０の少なくとも一方に、第１離隔端部２１ｂ及び第１連結部２７、又は第２離隔端部３１ｂ及び第２連結部３７が形成されていればよい。
【００５９】
例えば、図４に示すように、第１本体布２０にのみ第１離隔端部２１ｂ及び第１連結部２７が形成されるような構成のパンツ（ボトム衣類）２であってもよい。図４に示すパンツ２は、第１前側端部２２の上端２２ａがウエスト部１０と離隔し、第１連結部２７を介してウエスト部１０に縫着されている点と、重なり部５０の全部において、第１上端部２１の全部である第１離隔端部２１ｂが、第１前側端部２２の上端２２ａから前中心線Ｌ１側方向にウエスト部１０まで延在し、ウエスト部１０と縫着されないで離隔している点とに特徴を有する。第１連結部２７は、第１前側端部２２に設けられているテープ状部材２６をそのまま延長することによって形成されている。この場合であっても、第１連結部２７とウエスト部１０と第１離隔端部２１ｂとによって囲まれる開口部６０Ａが形成される。したがって、上記パンツ１と同様に、第１前側端部２２を、大きく斜め前方向へ引っ張ることが容易となり、陰茎の通路となる開き部５１を大きく形成することができる。この結果、開き部５１を使用した陰茎の出し入れが容易になると共に、小用時における陰茎に対する圧迫を低減することが可能となる。
【００６０】
図示は省略するが、図４に示す第１本体布２０の構成を第２本体布３０にのみ適用した場合、すなわち、第２本体布３０にのみ第２離隔端部３１ｂ及び第２連結部３７が形成されていてもよく、この場合も同様の効果を得ることができる。
【００６１】
また、例えば、図５に示すように、第２本体布３０にのみ、第２離隔端部３１ｂ及び第２連結部３７が形成されるような構成のパンツ（ボトム衣類）３であってもよい。図５に示すパンツ３は、第２前側端部３２の上端３２ａがウエスト部１０Ａと離隔し、第２連結部３７を介してウエスト部１０Ａに縫着されている点と、重なり部５０の一部において、第２上端部３１の一部である第２離隔端部３１ｂが、第２前側端部３２の上端３２ａから前中心線Ｌ１側方向にウエスト部１０Ａまで延在し、ウエスト部１０Ａと縫着されないで離隔している点とに特徴を有する。第２連結部３７は、第２前側端部３２に設けられているテープ状部材３６をそのまま延長することによって形成されている。この場合であっても、第２連結部３７とウエスト部１０Ａと第２離隔端部３１ｂとによって囲まれる開口部８０Ａが形成される。したがって、上記パンツ１と同様に、第２前側端部（第２前側端部３２の一部３２ｃ）を掴み、例えば第２前側端部３２を開き部５１のある方向に引っ張って、陰茎を開き部５１から出し入れするのに支障がない位置にまで動かすことが容易となる。この結果、開き部５１を使用した陰茎の出し入れが容易になると共に、小用時における陰茎に対する圧迫を低減することが可能となる。
【００６２】
また、図示はしないが、上記実施形態のパンツ１に形成される開口部６０は、重なり部５０の範囲を越えて形成されるようなものであってもよい。すなわち、図４に示すパンツ２では、第１上端部２１における第１縫着部２１ａと第１離隔端部２１ｂとの境界が重なり部５０の右端にあるが、この境界が重なり部５０を越えて、重なり部５０の右端よりも右側にあってもよい。この場合、重なり部５０の全部において、第１上端部２１の全部である第１離隔端部２１ｂが、ウエスト部１０Ａと縫着されないで離隔していることになる。このようなパンツでは、開口部６０Ａのうち重なり部５０ではない位置に形成される一部分において、外側から着用者の肌が見えることとなるが、ボトム衣類に本願発明を適用した場合、着用時に着崩れしにくいという効果をもたらす。これは、ハイウエストタイプにおいて、顕著に現れる。このことは、第２本体布３０に形成される開口部８０についても適用することができ、上記と同様の効果を得ることができる。
【００６３】
また、第１離隔端部２１ｂは、下方向に向かって凸状にカーブするように延在するものであってもよい。言い換えれば、第１前側端部２２に近づくにしたがって、左右方向に対する傾きが大きくなるように延在するものであってもよい。さらに、第１離隔端部２１ｂは、上方向に向かって凹状にカーブするように延在するものであってもよい。言い換えれば、第１前側端部２２に近づくにしたがって、左右方向に対する傾きが小さくなるように延在するものであってもよい。第２離隔端部３１ｂについても同様に、下方向に向かって凸状にカーブするように延在するものであってもよいし、上方向に向かって凹状にカーブするように延在するものであってもよい。
【００６４】
また、上記実施形態のパンツ１におけるウエスト部は、図５に示すような伸縮性のある上辺布で構成されるウエスト部１０Ａのようなものであってもよい。また、図示はしないが、袋状にした生地とする構成、袋状にした生地の中にゴムを入れる構成、としてもよい。また、幅広ウエストテープとする構成、ニッパーのような保護ベルトを付帯する構成、腹巻機能の付いたウエスト部とする構成等のハイウエストタイプとしてもよい。また、ウエスト部は、着用状態において着用者のへそラインより７〜１２ｃｍ下方に位置するローウエストタイプ（ローライズタイプ）としてもよい。
【００６５】
また、上記実施形態のパンツ１における第１連結部２７は、第１前側端部２２の設けられたテープ状部材２６と一体的に構成される例を挙げて説明したがこれに限定されるものではない。例えば、第１前側端部２２の設けられたテープ状部材２６と第１離隔端部２１ｂに設けられたテープ状部材２５とが一体的に構成され、別部材の第１連結部２７が第１前側端部２２の上端２２ａに縫着される構成であったり、別々の部材が互いに縫着される構成であったりしてもよい。また、図示はしないが、第１連結部２７を複数設け、２又以上に分かれるような構成であってもよく、第２連結部３７も同様である。
【００６６】
また、上記実施形態のパンツ１では、第１本体布２０の一部と、第２本体布３０の一部を重ね合わせて重なり部５０を構成したがこれに限定されるものではない。例えば、重なり部を外側フロント布及び肌側フロント布の２枚の布により構成（本願発明でいう外側布と肌側布とのそれぞれ全部が重なるように構成）し、この２枚の布の側端部に本体布を縫着するような構成であってもよい。この場合、着用時に第１本体布２０と第２本体布３０の全部が互いに重なる重なり部５０を前面の一部に備えることとなる。また、第１本体布２０の第１後側端部２３が、背面における後中心線Ｌ４に沿って第２本体布３０の第２後側端部３３と縫着されているのではなく、第１本体布及び第２本体布に該当する１枚の布として構成してもよい。
【００６７】
また、上記実施形態のパンツ１，２，３では、第１離隔端部２１ｂ、第２離隔端部３１ｂ、第１前側端部２２、第２前側端部３２に、伸縮性のあるテープ状部材が設けられている例を挙げて説明したが、例えば、端始末不要な素材を用いたり、当該端部を折り返して縫着したりすることにより、それぞれの端部を形成してもよい。
【００６８】
また、上記実施形態は、本願発明をボクサータイプの男性用パンツに適用した例を挙げて説明したがこれに限定されるものではなく、ブリーフ、左右の脚部の長さを更に下方に伸ばしたロングタイプのパンツ、タイツ、ステテコ、トランクス等に適用することもできる。
【００６９】
また、本体素材が非伸縮性素材の場合は、第１及び第２離隔端部２１ｂ，３１ｂ、第１及び第２前側端部２２，３２にギャザーを設け、伸縮性を有するテープ状部材を用いることにより、同等の効果を得ることができる。
【００７０】
さらに、本願発明は、上記に説明した日常履きのパンツ等に適用できるだけではなく、スポーツ時のコンディションを整えるようなボトム、スタイルサイエンス技術を取り入れたボトム、一般的な補整機能を有するボトム等に適用することができ、また、各ボトムのショートタイプ、ロングタイプにも適用することもできる。この場合には、上記実施形態における第１本体布２０及び第２本体布３０に該当する部分の素材として、例えば、ツーウェイラッセル、ツーウェイトリコット、ダブルラッセル等を用いた経編素材を用いることが好ましい。
【００７１】
日常履きのパンツ等に使用される素材よりもパワーの強い、ツーウェイラッセル等を用いた経編素材によって構成されるボトムに本願発明を適用することで、開き部を使用した陰茎の出し入れが更に容易となり、小用時における陰茎の下部の尿道に対する圧迫を低減できるという効果も、更に高いものになると考えられる。
【符号の説明】
【００７２】
１，２，３…パンツ（ボトム衣類）、１０，１０Ａ…ウエスト部、２０…第１本体布（外側布）、２１…第１上端部（外側布における上端部）、２１ａ…第１縫着部（外側布における縫着部）、２１ｂ…第１離隔端部（外側布における離隔端部）、２２…第１前側端部（外側布における側端部）、２２ａ…第１前側端部の上端（外側布における側端部の上端）、２２ｂ…第１前側端部の下端、２２ｃ…第１前側端部の一部、２３…第１後側端部、２４…第１下端部、２４ａ…股部、２４ｂ…裾部、２５，２６…テープ状部材、２７…第１連結部（外側布における連結部）、３０…第２本体布（肌側布）、３１…第２上端部（肌側布における上端部）、３１ａ…第２縫着部（肌側布における縫着部）、３１ｂ…第２離隔端部（肌側布における離隔端部）、３２…第２前側端部（肌側布における側端部）、３２ａ…第２前側端部の上端（肌側布における側端部の上端）、３２ｂ…第２前側端部の下端、３２ｃ…第２前側端部の一部、３３…第２後側端部、３４…第２下端部、３４ａ…股部、３４ｂ…裾部、３５，３６…テープ状部材、３７…第２連結部（肌側布における連結部）、４０…クロッチ布、５０…重なり部、５１…開き部、６０，８０，６０Ａ…開口部、Ｌ１…前中心線、Ｌ２…左脇線、Ｌ３…右脇線、Ｌ４…後中心線。
【図１】
0005810572.tif 000002
【図２】
0005810572.tif 000003
【図３】
0005810572.tif 000004
【図４】
0005810572.tif 000005
【図５】
0005810572.tif 000006